(57)【要約】【課題】  筆記具の軸筒を捻ることによってインクを加圧できるようにして効率的な動作にでき、加圧操作にキャップを不要にして構成も少なくできる筆記具を提供する。【解決手段】  先軸２０に対して後軸２２を捩ることによって加圧部材１８がリフィール１４に加圧力を加えると共に、リフィール１４の筆記チップ１２を突出させるために、先軸２０の後端外周に突出した摺動ピン２４が後軸２２の摺動溝２６内に収まって摺動するようになっている。【選択図】図１
2015110296.tif 000002
【特許請求の範囲】
【請求項１】
インク収容体の先端に筆記チップを設けたリフィールを軸筒内に収容した筆記具において、
軸筒を捩ることによって、リフィールに加圧力を付与する加圧部材を軸筒に設けたことを特徴とする筆記具。
【請求項２】
加圧部材は、可撓性の捩り部材を備えたものであることを特徴とする請求項１に記載の筆記具。
【請求項３】
加圧状態にすると共に、筆記チップのペン先を軸筒先端から突出可能な構造であることを特徴とする請求項１または２に記載の筆記具。
【請求項４】
軸筒の前部に対して後部を回転させることにより加圧部材に加圧作動を行わせる回転式であることを特徴とする請求項１から３のうちの１項に記載の筆記具。
【発明の詳細な説明】
【技術分野】
【０００１】
本発明は、筆記時等における所望時にインクを加圧可能なパートタイム加圧式の筆記具に関する。
【背景技術】
【０００２】
筆記具には、上向きでの筆記やインク収容管内に粘度の高いインクを収容しての筆記において、スムーズに筆記チップから出るように、インク収納管内のインクを加圧する機構を設けた筆記具が種々に提案されている。
【０００３】
例えば、特開２００４−１７５０８３号（：特許文献１）には、先端にボールペンチップを備えるインク収容管に粘度５０〜２０００ｍＰａ・ｓのインクを収容に、そのインク収容管後端側の気圧をピストン部材で５〜８０ｋＰａ（５０〜８００ｈＰａ）に加圧して、インクを押圧するボールペンが開示されている。
【０００４】
また、特開２００７−９８７１２号（：特許文献２）には、不使用時に筆記チップを覆うキャップを軸筒後端のピストン部材に取り付けてそのキャップを介してピストン部材を押圧操作して、インク収容管の後方空間の気圧を１０ｋＰａ（１００ｈＰａ）に加圧し、インクを押圧し、一方、キャップを外すことによって、インク収容管の後方空間を外気に連通して加圧状態を解除する塗布具が開示されている。
【先行技術文献】
【特許文献】
【０００５】
【特許文献１】特開２００４−１７５０８３号公報
【特許文献２】特開２００７−９８７１２号公報
【発明の概要】
【発明が解決しようとする課題】
【０００６】
しかしながら、前述の特許文献１〜２では、筆記チップを突出させる操作とインクを加圧する操作とが別であり、動作の無駄があった。特に、特許文献２のようにキャップをするものでは、キャップの無い筆記具では採用しがたいものであった。
【０００７】
本発明は、斯かる実情に鑑み、筆記具の軸筒を捻ることによってインクを加圧できるようにして簡便かつ効率的に操作できるようにし、かつ、加圧操作にキャップを不要にして構成も簡単化できる筆記具を提供しようとするのである。
【課題を解決するための手段】
【０００８】
本発明は、インク収容体の先端に筆記チップを設けたリフィールを軸筒内に収容した筆記具において、
軸筒を捩ることによって、リフィールに加圧力を付与する加圧部材を軸筒に設けたことを特徴とする筆記具である。
【０００９】
本発明においては、加圧部材は、可撓性の捩り部材を備えたものであることが好適である。
【００１０】
また、本発明においては、加圧状態にすると共に、筆記チップのペン先を軸筒先端から突出可能な構造であることが好適である。
【００１１】
本発明においては、軸筒の前部に対して後部を回転させることにより加圧部材に加圧作動を行わせる回転式であることが好適である。
【発明の効果】
【００１２】
本発明の筆記具によれば、筆記具の軸筒を捩ることによってインクを加圧できるようにして簡便かつ効率的な操作ができ、かつ、加圧操作にキャップを不要にして構成も簡略化できる。
【００１３】
なお、加圧部材を、可撓性の捩り部材を備えたものにすれば、構成を簡略化できる。
【００１４】
また、加圧状態にすると共に、筆記チップのペン先を軸筒先端から突出可能な構造とすれば、突出動作と加圧操作を同時に行うことができる。
【００１５】
また、軸筒の前部に対して後部を回転させることにより加圧部材に加圧作動を行わせる回転式とすれば、加圧のための操作部が軸筒に一体的に構成できるため、統一感と構成の簡略化ができるという優れた効果を奏し得る。
【図面の簡単な説明】
【００１６】
【図１】本発明の実施形態に係る筆記具の筆記チップ収容時の説明図で、（ａ）が側面図、（ｂ）が（ａ）の状態の縦断面図、（ｃ）が（ａ）から９０°回転させた状態の側面図、（ｄ）が（ｃ）の状態の縦断面図である。
【図２】前記筆記具の筆記チップ突出時の説明図で、（ａ）が側面図、（ｂ）が（ａ）の状態の縦断面図、（ｃ）が（ａ）から９０°回転させた状態の側面図、（ｄ）が（ｃ）の状態の縦断面図である。
【図３】前記筆記具の後軸の説明図で、（ａ）が斜視図、（ｂ）が側面図、（ｃ）が（ｂ）の状態の縦断面図、（ｄ）が（ｂ）から９０°回転させた状態の側面図、（ｅ）が（ｄ）の状態の縦断面図である。
【図４】前記筆記具の先軸の説明図で、（ａ）が斜視部、（ｂ）が前方からの視図、（ｃ）が側面図、（ｄ）が（ｃ）の状態の縦断面図、（ｅ）が（ｃ）から９０°回転させた状態の側面図、（ｆ）が（ｅ）の状態の縦断面図、（ｇ）が後方からの視図である。
【図５】前記筆記具のコネクタの説明図で、（ａ）が前方からの視図、（ｂ）が側面図、（ｃ）が（ｂ）から９０°回転させた側面図、（ｄ）が（ｃ）の状態の縦断面図、（ｅ）が斜視図、（ｆ）が後方からの視図である。
【図６】前記筆記具の天冠の説明図で、（ａ）が前方からの斜視図、（ｂ）が側面図、（ｃ）が（ｂ）の状態の縦断面図、（ｄ）が後方からの斜視図である。
【発明を実施するための形態】
【００１７】
以下、本発明の実施形態について添付図面を参照して説明する。
【００１８】
図１、図２は実施形態に係る筆記具において、筆記チップを引っ込めた状態、突出させた状態の各全体説明図である。
【００１９】
図１、図２に示すように、筆記具は、インク収容体１０の先端に筆記チップ（筆記部）１２を設けたリフィール（筆記リフィール）１４を軸筒１６内に収容したものである。
【００２０】
当該筆記具は、軸筒１６を捩ることによって、リフィール１４に加圧力を付与する加圧部材１８を軸筒１６に設けたものである。
【００２１】
前記軸筒１６は前部の中空筒状の先軸２０と、後部の当該先軸２０に対して一定範囲で回転可能な中空筒状の後軸２２とを有し、前記軸筒１６の内部中空内に前記リフィール１４が前後動可能に装着されている。
【００２２】
また、前記先軸２０に対して後軸２２を捩ることによって加圧部材１８がリフィール１４に加圧力を加えると共に、リフィール１４の筆記チップ１２の前端を突出させるために、先軸２０の後端外周に突出した摺動ピン２４が後軸２２の摺動溝２６内に収まって摺動するようになっている。
【００２３】
（後軸２２）
前記後軸２２は筒状であって、図３に示すように、前部に軸方向に斜めの折り曲げ線状に摺動溝２６が対で側壁を内外に貫通するように形成されている。
【００２４】
（先軸２０）
前記先軸２０は、図４に示すように、その先端に雄ネジ２０ａが形成されており、外周面が平坦で内部が中央部から段付きになっている。段付きした部分２０ｂには、リフィールを後方に向けて付勢するスプリング２８（図１参照）が当接するように装着している。
【００２５】
先軸２０の後端には、前記摺動ピン２４を嵌入して固定するピン穴２０ｃと長孔２０ｄが中心軸を挟んで対で形成されている。長孔２０ｄには、後記するコネクタ３０の外周から突出す抜け止めピン３２が前後動可能に遊嵌している。この長孔２０ｄに、抜け止めピン３２が遊嵌しているため、コネクタ３０が先軸２０に対して相対回転が規制されている。
【００２６】
なお、先軸２０の先端の雄ネジ２０ａには、リフィール１４の筆記チップ１２を側面から支える中空で概略三角錐状の口プラ３４内周の雌ネジが螺合し、当該雄ネジ２０ａによって当該口プラ３４がネジ込みで固定されている（図１参照）。
【００２７】
（加圧部材１８）
前記加圧部材１８は、軸筒１６の前部の先軸２０に対して後部の後軸２２を回転させることにより当該加圧部材１８に加圧作動を行わせる回転式のものである。
【００２８】
図１、図２に示すように、加圧部材１８は、先軸２０に相対回転が規制されたコネクタ３０と後軸２２に固定の天冠３６との間に柔軟性のあるチューブ体（可撓性の捩り部材に相当）３８が配設されたものであり、コネクタ３０と天冠３６の相対的な回転方向への変位で、チューブ体３８が螺旋状に捻られて該チューブ体３８の内容積が減り、圧力が高まってインク収容体１０のインク（塗布液でもある）に対して後方から圧力を高めるものである。
【００２９】
（チューブ体３８）
上記加圧部材１８におけるチューブ体３８は、前部をコネクタ３０の後部の段部３０ｄ外周に被せ、また、後部を天冠３６の基部３６ｂに被せて段部に突き当てている。チューブ体３８とコネクタ３０の気密状態は、筆記チップ収容時では開放されているが、筆記チップ突出時においての回転動作で気密に固定される。前記チューブ体３８は、可撓性及び気密性がある、例えばシリコーンゴム、ポリプロピレン等の樹脂膜や金属製の単層、積層の膜体で形成することができる。
【００３０】
（コネクタ３０）
コネクタ３０は、図５に示すように、内周面で中央部付近が細くなり、外周面で中央部付近が太径になる段付になった概略筒状体である。中空の内部には前部に段部３０ａが、後部に段部３０ｂが形成されている。また、外周の前・後に段部３０ｃ・３０ｄが形成されている。
【００３１】
図１、図２に示すように、リフィール１４をコネクタ３０に装着する際には、前記コネクタ３０はその前部の中空孔内に当該リフィール１４の後端部を挿着して、前記前部の段部３０ａに当接させ、前部の外周における段部にスプリング２８の後端を当接させる。
【００３２】
また、コネクタ３０の後部の内部内には天冠３６の軸状のピストン部３６ａが挿入され、段部３０ｂで係止する。
【００３３】
さらに、コネクタ３０の中央側面部には、抜け止めピン３２を嵌入させて固定するピン穴３０ｅが形成されている。
【００３４】
（天冠３６）
前記天冠３６は、図６に示すように、後端の太い基部３６ｂから前方にピストン部３６ａが延在したものである。
【００３５】
前記天冠３６の取り付けは、図１、図２に示すように、前記天冠３６の基部３６ｂが後軸２２後端に嵌入して固定され、細径のピストン部３６ａの前端が前記コネクタ３０の中空の後部内に挿入されて、コネクタ３０内部の段部３０ｂに突き当たって係止する。
【００３６】
（筆記具の作動）
筆記具の不使用時には、図１に示すように、筆記チップ１２が先軸２０内に没入している。コネクタ３０の中空の後部内ではそこに挿入されている当該天冠３６のピストン部３６ａの前方には、段部３０ｂとの間に間隙がある。間隙の軸方向の長さは、筆記チップ突出時から筆記チップ収納時に後軸２２を捩る際に、加圧力が開放できる距離であれば良い。
【００３７】
一方、筆記具の使用時には、先軸２０に対して後軸２２を相対的に回転させる。すると、図２に示すように、先軸２０の後端外周に突出した摺動ピン２４が、後軸２２の摺動溝２６内に収まって摺動するので、当該摺動溝２６の折り曲がった斜めに沿って後軸２２は先軸２０に対して右ネジ状に回転しつつ前進する。
【００３８】
その際、後軸２２の前進に応じてその後軸２２に固定された天冠３６も前進する。コネクタ３０の中空の後部内ではそこに挿入されている当該天冠３６のピストン部３６ａが前進して、ある程度の前進で段部３０ｂに突き当たって、コネクタ３０を前進させる。前記コネクタ３０の前進でリフィール１４を前進させて、先軸２０前端から筆記チップ１２前端が突出し筆記可能になる。なお、後軸２２が前進端に進んだ際に、摺動溝２６が周方向に沿う適宜の係止構造としているので、力を抜いても後軸２２が元の回転位置に戻らないようにしている。
【００３９】
同時に加圧部材１８が捩られるため、チューブ体３８が絞られてその内容積が少なくなるので、内圧が上がり、コネクタ３０の中空を通して、リフィール１４のインク収容体１０後部の内圧が上がる。インクを筆記チップ１２に向けて押し出す。ただし、後軸２２を操作しているときだけであるので、パートタイム加圧となる。
【００４０】
したがって、実施形態の筆記具は、先軸２０筆記部の加圧状態にすると共に、リフィール１４の筆記チップ１２のペン先を軸筒１６の先軸２０先端から突出可能な構造である。
【００４１】
実施形態の筆記具によれば、軸筒１６を捩ることによって、リフィール１４に加圧力を付与するチューブ体３８を軸筒１６に設けたので、筆記具の軸筒１６を捻ることによってインクが加圧できるという効率的な動作ができ、かつ、加圧操作にキャップが不要になるので構成部品も少なくできる。
【００４２】
また、加圧部材１８として、可撓性の捩り部材のチューブ体３８を設けたので、構成を簡単にできる。
【００４３】
また、加圧状態にすると共に、筆記チップ１２のペン先を軸筒１６先端から突出可能な構造とするので、突出動作と加圧操作を同時に行うことができる。
【００４４】
また、軸筒１６の前部の先軸２０に対して後部の後軸２２を回転させることにより加圧部材１８におけるチューブ体３８に加圧作動を行わせる回転式とするので、加圧のための操作部が軸筒１６に一体的に構成できるため、統一感と構成の簡略化ができる。
【００４５】
ここで、筆記チップ１２の突出操作の度に加圧できるため（１００ｈＰａ以下の微加圧）上書き筆記ができ、加圧しない場合に比較して描線が綺麗にあり描線品位が向上する。
【００４６】
捩り角度と加圧力の例を説明する。
本実施例では捩り角度６０°とし、加圧力は相対気圧で５０ｈＰａとした。加圧部材であるチューブ体３８はシリコーンチューブを用いた。なお、捩り角度は４０〜８０°とし、その時の加圧力は相対気圧で１０〜１００ｈＰａとすることが望ましい。また、その際、捩り角度すなわち捩り量によって加圧力の調整をすることもできる。
【００４７】
なお、本発明は前記実施形態に限定されず、捩り部材やそれを捩る機構を別のものにできる。
【産業上の利用可能性】
【００４８】
本発明の筆記具は、低粘性インク、高粘性インクを加圧する筆記具として利用することができる。
【符号の説明】
【００４９】
１０  インク収容体
１２  筆記チップ
１４  リフィール
１６  軸筒
１８  加圧部材
２０  先軸
２２  後軸
２４  摺動ピン
２６  摺動溝
２８  スプリング
３０  コネクタ
３２  抜け止めピン
３６  天冠
３６ａ  天冠のピストン部
３６ｂ  天冠の基部
３８  チューブ体（加圧部材）
【図１】
2015110296.tif 000003
【図２】
2015110296.tif 000004
【図３】
2015110296.tif 000005
【図４】
2015110296.tif 000006
【図５】
2015110296.tif 000007
【図６】
2015110296.tif 000008